(57)【要約】【課題】取り付けに手間がかからず、しかも耐力壁を構成可能な外断熱用複合断熱パネル１を提供する。【解決手段】建物のモジュールに合わせた大きさの断熱板２の片面に面材３を接合し、建物の軸組へ固定するためのビス４を、当該軸組の位置に対応する位置に、断熱板２の他面側から、後端が断熱板２内に入り込む深さまで断熱板２に差し込んで仮止めした外断熱用複合断熱パネル１とする。【選択図】  図１
2010236252.tif 000002
【特許請求の範囲】
【請求項１】
建物のモジュールに合わせた大きさの合成樹脂発泡体製の断熱板の片面に面材が接合されており、建物の軸組へ固定するためのビスが、当該軸組の位置に対応する位置に、断熱板の他面側から、後端が断熱板内に入り込む深さまで断熱板に差し込まれていることを特徴とする外断熱用複合断熱パネル。
【請求項２】
ビスが、面材を貫通しない深さまで面材にねじ込み又は打ち込まれていることを特徴とする請求項１に記載の外断熱用複合断熱パネル。
【請求項３】
断熱板と面材の接合が、タッカー又は粘着剤により剥離可能に行われていることを特徴とする請求項１又は２に記載の外断熱用複合断熱パネル。
【請求項４】
面材の周縁が、断熱板の周縁より内側へ入っていることを特徴とする請求項１〜３のいずいずれか１項に記載の外断熱用複合断熱パネル。
【請求項５】
断熱板の他面が、捲ってビスの断熱板への差し込み部分を露出可能に貼着された透湿防水シートで覆われていることを特徴とする請求項１〜４のいずれか１項に記載の外断熱用複合断熱パネル。
【請求項６】
請求項１〜５のいずれか１項に記載の外断熱用複合断熱パネルを、面材を建物の軸組側に向けて軸組の外側に宛い、ビスを、面材を貫通して軸組にねじ込むことを特徴とする外断熱用複合断熱パネルの取り付け方法。
【請求項７】
ビスの軸組へのねじ込み後に断熱板に残されるビス貫通孔に発泡性合成樹脂を充填することを特徴とする請求項６に記載の外断熱用複合断熱パネルの取り付け方法。
【発明の詳細な説明】
【技術分野】
【０００１】
本発明は、建物の外断熱に用いられる外断熱用複合断熱パネル及びその取り付け方法に関する。
【背景技術】
【０００２】
従来、建物の軸組の外周に下地材を取り付け、その外側に断熱板を取り付けた外断熱が知られている（例えば、特許文献１参照）。この外断熱の場合、通常、断熱板の外側に宛った通気胴縁を軸組へ固定し、更にこの通気胴縁の外側に外壁材を取り付けることになる。
【０００３】
また、建物のモジュールに合わせた大きさの合成樹脂発泡体製の断熱板の片面に面材を接着した外断熱用複合断熱パネルを、断熱板を建物の軸組側に向けて軸組の外側に宛い、予め面材に目印として形成した小孔からビスをねじ込んで軸組へ取り付けた外断熱も知られている（例えば、特許文献２参照）。この外断熱の場合、面材を外装下地材として外装仕上げを施すことになる。
【先行技術文献】
【特許文献】
【０００４】
【特許文献１】特開平３−１９７７４２号公報
【特許文献２】特開２００５−１０５６２２号公報
【発明の概要】
【発明が解決しようとする課題】
【０００５】
ところで、下地材と断熱板を順次取り付けて外断熱を構成する場合、下地材として構造用合板を用いることで耐力壁を構成できる利点があるが、下地材と断熱板を順次別々に取り付けるので、墨出し、位置合わせ、ビスの用意、ビスのピッチ合わせなど、取り付けに手間がかかる問題がある。一方、従来の外断熱用複合断熱パネルを用いた場合、建物のモジュールに合わせた大きさとなっており、ビスのねじ込み位置を示す小孔も形成されているので、墨出し、位置合わせ、ビスのピッチ合わせなどの手間が軽減される。しかし、軸組と面材の間に断熱板が介在した状態で取り付けられるので、外断熱用複合断熱パネルの取り付けだけでは耐力壁を構成することができない。また、別途ビスを用意する手間がかかる点は同様である。
【０００６】
本発明は、上記従来の問題点に鑑みてなされたもので、取り付けに手間がかからず、しかも耐力壁を構成可能な外断熱用複合断熱パネルとその取り付け方法を提供することを目的とする。
【課題を解決するための手段】
【０００７】
本発明の第１は、建物のモジュールに合わせた大きさの合成樹脂発泡体製の断熱板の片面に面材が接合されており、建物の軸組へ固定するためのビスが、当該軸組の位置に対応する位置に、断熱板の他面側から、後端が断熱板内に入り込む深さまで断熱板に差し込まれていることを特徴とする外断熱用複合断熱パネルを提供するものである。
【０００８】
上記本発明の第１は、ビスが、少なくとも先端が面材に食い込み、かつ面材を貫通しない深さまで面材にねじ込み又は打ち込まれて仮止めされていること、
断熱板と面材の接合が、タッカー又は粘着剤により剥離可能に行われていること、
面材の周縁が、断熱板の周縁より内側へ入っていること、
断熱板の他面が、捲ってビスの断熱板への差し込み部分を露出可能に貼着された透湿防水シートで覆われていること、
をその好ましい態様として含むものである。
【０００９】
また、本発明の第２は、上記本発明の第１に係るいずれかの外断熱用複合断熱パネルを、面材を建物の軸組側に向けて軸組の外側に宛い、ビスを、面材を貫通して軸組にねじ込むことを特徴とする外断熱用複合断熱パネルの取り付け方法を提供するものである。
【００１０】
上記本発明の第２は、ビスの軸組へのねじ込み後に断熱板に残されるビス貫通孔に発泡性樹脂を充填することをその好ましい態様として含むものである。
【発明の効果】
【００１１】
本発明の外断熱用複合断熱パネルによれば、ビスが断熱板に差し込まれて仮止めされているので、別途ビスを用意することなく、この仮止めされたビスをねじ込むだけで、軸組へ取り付けることができる。ビスを必要な位置に必要なピッチで仮止めしておけば、設計通りの取り付けを容易に行うことができると共に、点検作業も容易となる。このビスの後端は断熱板内に入り込んでいるので、ビスの後端が何かに引っ掛かって抜けてしまうのを防止することができる。また、建物のモジュールに合わせた大きさとなっているので、墨出し、位置合わせなどの手間が軽減されると共に、面材を軸組側にして取り付けられるので、面材を構造用合板で構成することで、本外断熱用複合断熱パネルを取り付けることで耐力壁を構成することができる。
【００１２】
ビスを、面材を貫通しない深さまで面材にねじ込み又は打ち込んでおくと、ビスの仮止め力を強化することができ、運搬中に衝撃などが加わってもビスの脱落を確実に防止できる。また、ビスの先端が面材を貫通して露出していないので、ビスの先端に触れることによる怪我を防止することができる。
【００１３】
断熱板と面材の接合が、タッカー又は粘着剤により剥離可能に行われていると、廃棄時に容易に断熱板と面材を分離して廃棄することができる。
【００１４】
面材の周縁が、断熱板の周縁より内側へ入っていると、相隣接して取り付けられる本外断熱用複合断熱パネルの断熱板の側面同士を密着させても、面材同志間に隙間が形成され、面材が熱膨張して押し合うことによる変形を防止することができる。
【００１５】
断熱板の他面が、捲ってビスの差し込み部分を露出可能に貼着された透湿防水シートで覆われていると、ビスのねじ込み作業を阻害することなく、本外断熱用複合断熱パネルの取り付けと同時に透湿防水シートの設置も完了させることができる。
【００１６】
また、本発明の取り付け方法によれば、上記のような簡便な取り付けが可能となる。
【００１７】
そして、ビスの軸組へのねじ込み後に断熱板に残される孔に発泡性合成樹脂を充填すると、この孔による断熱性の低下を防止することができる。
【図面の簡単な説明】
【００１８】
【図１】本発明に係る外断熱用複合断熱パネルの一例を示す断熱板側の斜視図である。
【図２】図１に示される外断熱用複合断熱パネルの面材側の斜視図である。
【図３】ビスの仮止め状態の説明図である。
【図４】本発明に係る外断熱用複合断熱パネルを建物の軸組へ取り付けた状態の平面断面図である。
【図５】本発明に係る外断熱用複合断熱パネルを用いて構成した外壁構造の一例を示す平面断面図である。
【図６】本発明に係る外断熱用複合断熱パネルの他の例を示す斜視図である。
【発明を実施するための形態】
【００１９】
以下、図面に基づいて本発明を更に説明する。
【００２０】
図１及び図２に示されるように、本発明に係る外断熱用複合断熱パネル１は、合成樹脂発泡体製の断熱板２の片面に面材３を取り付けたものとなっている。
【００２１】
断熱板２を構成する合成樹脂発泡体としては、例えば、ポリスチレン系樹脂発泡体、ポリエチレン系樹脂発泡体、ポリプロピレン系樹脂発泡体、ポリウレタン系樹脂発泡体、フェノール系樹脂発泡体などを用いることができる。これらの中でも、吸水性が低く、断熱性に優れることからポリスチレンの発泡体が好ましい。また、ビーズ発泡成形体でも押出発泡成形体でもよいが、耐圧性に優れることから、押出発泡成形体が好ましい。
【００２２】
面材３としては、通常、合板が用いられ、特に構造合板を用いると、外断熱用複合断熱パネル１の取り付けによって耐力壁を構成することができるので好ましい。
【００２３】
断熱板２は、外断熱用複合断熱パネル１を取り付ける建物のモジュールに合わせた大きさとなっており、面材３はこの断熱板２よりも一回り小さく、面材３の周縁は、断熱板２の周縁より内側へ入っている。断熱板２の大きさを建物のモジュールに合わせておくことで、特別な箇所以外、寸法合わせをすることなく外断熱用複合断熱パネル１を取り付けることができる。また、面材３の周縁が断熱板２の周縁より内側へ入っていることにより、相隣接して取り付けられる外断熱用複合断熱パネル１の断熱板２の側面同士を密着させても、面材３の側面同士間には隙間（通常１〜６ｍｍ）を確保することができ、面材３が熱膨張して押し合うことによる浮き上がりなどを防止することができる。例えば、下地材として構造合板を取り付けてから断熱板を取り付ける従来の手順の場合、下地材間に隙間が形成されるように墨出しして取り付けが行われるが、面材３の周縁を断熱板２の周縁より内側へ引っ込めておくことで、この墨出しの手間を省略することができる。
【００２４】
断熱板２への面材３の取り付けは、接着剤による接着で行ってもよいが、タッカーや粘着剤（例えば両面テープ）で剥離可能に行うことが好ましい。断熱板２と面材３を剥離可能としておくと、廃棄時に、合成樹脂である断熱板２と、木材である面材３とを容易に分離して廃棄することができる。
【００２５】
断熱板２の他面（面材３とは反対側）からは、ビス４が、その後端が断熱板２内に入り込むまで差し込まれている。断熱板２に差し込まれたビス４は、合成樹脂発泡体である断熱板２との摩擦抵抗により、簡単には抜け出ない状態に仮止めされている。また、ビス４の後端が断熱板２内に入り込んでいることにより、ビス４の後端に何かが引っ掛かってビス４が脱落するのを防止することができる。
【００２６】
このビス４は、その後端が断熱板２内に入り込むまで断熱板２に差し込まれているだけでなく、図３に示されるように、面材３を貫通しない深さまで、面材３にねじ込み又は打ち込まれていることが好ましい。ビス４の先端を面材３に食い込ませておくことにより強固な仮止めとすることができ、外断熱用複合断熱パネル１の輸送時などに衝撃が加わってもビス４の脱落を確実に防止することができる。また、ビス４が面材３を貫通していないことにより、ビス４の先端が面材３から露出し、これに触れることによる怪我を防止することができる。
【００２７】
図３（ａ）に示されるように、ビス４の断熱板２への差し込み跡として断熱板２にビス貫通孔５が形成されたものでも良いが、図３（ｂ）に示されるように、予め断熱板２に、ビス４の最大径よりやや小さい径のビス貫通孔５を形成しておき、このビス貫通孔５にビス４を差し込んで仮止めしたり、更には前端を面材３にねじ込み又は打ち込んで仮止め力を強化したものでもよい。
【００２８】
ビス４は、建物の軸組６（図４参照）の位置に対応する位置に仮止めされている。つまり、外断熱用複合断熱パネル１を軸組６へ取り付ける際に、軸組６上となる位置に沿って所定ピッチで所定本数仮止めされている。このようにすることによって、設計通りの位置、ピッチ及び本数のビス４で外断熱用複合断熱パネル１を軸組６に取り付けることができ、特に面材３として構造合板を用いて耐力壁を構成する場合、基準通りの施工を確実に行うことができる。また、仮止めされたビス４が軸組６へ十分ねじ込まれているかどうかをチェックすることで、施工状態の検査も容易に行うことができる。
【００２９】
本発明に係る外断熱用複合断熱パネル１は、図４に示されるように、面材３を建物の軸組６側に向けて軸組６の外側に宛い、仮止めされたビス４を、面材３を貫通して軸組６にねじ込むことで取り付けられるものである。ビス４を、面材３が強固に軸組６に固定されるまでねじ込むことで、面材３と軸組６を一体化することができ、面材３として構造合板を用いれば、この取り付けによって耐力壁を構成することができる。また、仮止めされたビス４は、周囲が断熱板２で囲まれて立設されているので、軸組６へのねじ込み時に倒れ込みにくく、ねじ込み作業が行いやすい利点もある。なお、図４において６ａは柱、６ｂは間柱である。
【００３０】
上記のようにして外断熱用複合断熱パネル１を軸組６へ取り付けた後は、通常、図５に示されるように、断熱板２上に透湿防水シート７を仮止めし、更にこの透湿防水シート７上に通気胴縁８を取り付け、通気胴縁８上に外壁材９を取り付けることで外壁が形成される。通気胴縁８の取り付けは、通常、通気胴縁８上から外断熱用複合断熱パネル１を貫通して軸組６へ釘打ちすることで行われる。透湿防水シート７はこの通気胴縁８で押さえられるので、上記仮止めは施工中にずれない程度のもので足る。
【００３１】
上記のように、断熱板２の外面は透湿防水シートで覆われ、断熱板２側の空気は静止空気となるので、ビス４の軸組６へのねじ込み後に断熱板２に残されるビス貫通孔５は、そのまま放置しておいても大きな断熱欠損にはならない。しかし、ビス貫通孔５に発泡性合成樹脂を充填すれば、断熱性能の低下を確実に防止することができる。発泡性合成樹脂としては、例えば発泡性ウレタン樹脂などを用いることができる。
【００３２】
本発明に係る外断熱用複合断熱パネル１としては、図６に示されるように、断熱板２の他面（面材３とは反対側）に透湿防水シート７を貼着したものとすることができる。透湿防水シート７の貼着は、両面テープや接着剤で行うことができる。透湿防水シート７は、ビス４（図６参照）のねじ込み作業を阻害しないよう、捲ってビス４の断熱板２への差し込み部分を露出可能に貼着されている。図６において斜線部が両面テープなどによる貼着部１０で、（ａ）の例では、断熱板２を覆う一枚の透湿防水シート７の一側縁部のみが貼着部１０で断熱板２に貼着されている。（ｂ）の例では、断熱板２が、隣接する縁部同士が上下に重なり合う二枚の透湿防水シート９で覆われており、各透湿防水シート７は一側縁部のみが貼着部１０で断熱板２に貼着されている。何れの場合も透湿防水シート７は貼着されていない側から捲り上げることが可能で、捲り上げることで断熱板２へのビス４の差し込み部分を露出させ、ビス４のねじ込み作業ができるようになっている。このような透湿防水シート７を貼着しておくと、外断熱用複合断熱パネル１の軸組６（図５参照）への取り付けと同時に透湿防水シート７の仮止めをも完了させることができる。
【符号の説明】
【００３３】
１：外断熱用複合断熱パネル、２：断熱板、３：面材、４：ビス、５：ビス貫通孔、６：軸組、６ａ：柱、６ｂ：間柱、７：透湿防水シート、８：通気胴縁、９：外壁材、１０：貼着部
【図１】
2010236252.tif 000003
【図２】
2010236252.tif 000004
【図３】
2010236252.tif 000005
【図４】
2010236252.tif 000006
【図５】
2010236252.tif 000007
【図６】
2010236252.tif 000008